(57)【要約】【課題】接続作業時に大きな力を必要とせずかつ接続後の状態の安定を期待できる電池間接続装置を提供すること。【解決手段】  セル本体４と該セル本体から突出した電極端子５，６とを有するセル電池３を接続するための電池間接続装置１である。弾性接触片９ａを有する導電性の連結端子９をベース２に保持させ、かつ、セル電池の電極端子をその弾性接触片に対向させる。そして、電極端子および弾性接触片の少なくとも一方を押圧クリップ１０などの操作手段により押圧して変位させ、これにより電極端子および弾性接触片を互いに圧接させる。【選択図】図１
2011090812.tif 000002
【特許請求の範囲】
【請求項１】
セル本体から突出する電極端子を有するセル電池を複数並行に配置して接続する電池間接続装置であって、複数の連結端子と、該連結端子を保持するベースと、複数の押圧クリップとを含み、
前記連結端子は２つの前記電極端子間を接続するものであって、２つの前記電極端子にそれぞれ接触する２つの弾性接触片を有し、
前記ベースは前記連結端子を収容保持する複数の収容部を有し、該収容部は前記電極端子を対応する弾性接触片の外側に沿うようにして収容可能になっており、
前記押圧クリップは平行な２つの押圧片を有し、
該押圧片を前記２つの電極端子の外側に沿うようにして前記収容部に挿入することで前記２つの電極端子を内側に押圧駆動し前記２つの弾性接触片に接触させるものであることを特徴とする電池間接続装置。
【請求項２】
セル本体から突出する電極端子を有するセル電池を複数並行に配置して接続する電池間接続装置であって、複数の連結端子と、該連結端子を保持するベースと、複数のカムとを含み、
前記連結端子は２つの前記電極端子間を接続するものであって、２つの前記電極端子にそれぞれ接触する２つの弾性接触片を有し、
前記ベースは前記連結端子を収容保持する複数の収容部を有し、該収容部は前記電極端子を対応する弾性接触片の内側に沿うようにして収容可能になっており、
前記カムは前記収容部の前記２つの弾性接触片間に回動軸を有するように前記ベースに回動可能に設けられており、前記回動軸には長円状のカム部を有し、
前記カムを回動して前記カム部を回動させることで、前記２つの弾性接触片の内側に挿入した前記２つの電極端子を外側に駆動し前記２つの前記弾性接触片に押圧接触させるものであることを特徴とする電池間接続装置。
【請求項３】
前記連結端子は隣り合う前記電極端子間を接続するものであることを特徴とする請求項１又は請求項２記載の電池間接続装置。
【請求項４】
前記電極端子を前記収容部に挿入するとき、前記電極端子が前記弾性接触片と非接触で挿入可能になっていることを特徴とする請求項１乃至請求項３のいずれかに記載の電池間接続装置。
【請求項５】
前記ベースは前記電極端子を前記収容部の所定位置に挿入案内するスリットを有することを特徴とする請求項１乃至請求項４のいずれかに記載の電池間接続装置。
【請求項６】
前記複数の連結端子のうち一部の前記連結端子には入出力用ケーブルを接続する電源用端子が設けられていることを特徴とする請求項１乃至請求項５のいずれかに記載の電池間接続装置。
【請求項７】
前記押圧クリップには、前記電源用端子に接続するケーブルが挿通する入出力用ケーブル挿通溝が設けられていることを特徴とする請求項６項記載の電池間接続装置。
【請求項８】
セル本体から突出する電極端子を有するセル電池を複数並行に配置して接続する電池間接続装置であって、
前記各電極端子にそれぞれ接続する複数のコネクタと、該複数のコネクタを搭載保持し前記電極端子間を所望の接続方式で電気接続する出力用配線を有する回路基板とからなり、
前記コネクタは、コンタクトと、該コンタクトを保持するハウジングと、スライダとからなり、前記コンタクトは前記ハウジングの一側から突出する弾性接触片と、他側から突出する実装部とを有し、前記ハウジングは前記電極端子を前記弾性接触片に沿うようにして挿入案内するスリットを有し、
前記回路基板は前記電極端子に対応する箇所に貫通孔を有し、該貫通孔に前記コネクタの前記ハウジング部分が装着され、前記実装部が前記出力用配線に接続されており、
前記スライダを前記弾性接触片に沿わせるようにして披せることで前記弾性接触片を前記電極端子側に押圧駆動し前記電極端子に接触させることを特徴とする電池間接続装置。
【請求項９】
前記コネクタは互いに対向する一対の前記コンタクトを有し、該一対のコンタクトの前記弾性接触片間に前記電極端子が挿入可能になっており、前記スライダは筒状で、その内壁部を一対の前記弾性接触片の外側に沿わせるようにして被せることで一対の前記弾性接触片を内側に押圧駆動し前記電極端子を扶み込み接触させるものであることを特徴とする請求項８記載の電池間接続装置。
【請求項１０】
前記一対の前記弾性接触片間は前記電極端子が零挿入力で挿入可能なギャップを有することを特徴とする請求項９記載の電池間接続装置。
【請求項１１】
セル本体と該セル本体から突出した電極端子とを有するセル電池を接続するための電池間接続装置であって、弾性接触片を有する導電性の連結端子と、前記連結端子を保持し、かつ前記電極端子を前記弾性接触片に対向させるベースと、前記電極端子および前記弾性接触片の少なくとも一方を押圧して変位させ、これにより前記電極端子および前記弾性接触片を互いに圧接させる操作手段とを含むことを特徴とする電池間接続装置。
【請求項１２】
前記ベースは前記電極端子を受け入れるための収容部を有し、前記操作手段は前記収容部に挿入される押圧クリップであり、前記押圧クリップは、前記収容部に挿入される際に、前記電極端子を押圧して変位させ、これにより前記電極端子を前記弾性接触片に圧接させるものであることを特徴とする請求項１１記載の電池間接続装置。
【請求項１３】
前記ベースは前記電極端子を受け入れるための収容部を有し、前記操作手段は前記収容部に配置された回動可能なカムであり、前記カムは、回動する際に前記電極端子を押圧して変位させ、これにより前記電極端子を前記弾性接触片に圧接させるものであることを特徴とする請求項１１記載の電池間接続装置。
【請求項１４】
前記操作手段は前記ベースに装着される押圧クリップであり、前記押圧クリップは、前記ベースに装着される際に、前記弾性接触片を押圧して変位させ、これにより前記弾性接触片を前記電極端子に圧接させるものであることを特徴とする請求項１１記載の電池間接続装置。
【発明の詳細な説明】
【技術分野】
【０００１】
本発明は、電池間を接続する装置に関する。
【背景技術】
【０００２】
近年、リチウムイオン電池などを用いたラミネートセルと呼ばれる薄板状の電池（ここでは、これを「セル電池」と呼ぶ）が開発されている。この種のセル電池は薄く形成されているので、複数枚を厚み方向に隣接配置することで、比較的大容量の電池パックをコンパクトに構成することができる。その場合、電池パックの複数枚のセル電池は互いに直列及び／又は並列に電気的に接続される。
【０００３】
従来、セル電池間の接続は、セル電池の電極端子を溶接することで行われていた。このため、接続後にセル電池に不具合が見つかると、接続されている複数のセル電池を一括廃棄することになり、コストパフォーマンスが非常に悪い。
【０００４】
そこで、セル電池間の接続を溶接以外の手段で行うことが特許文献１にて提案されている。特許文献１では、バスバーと呼ぶ別部品を用い、セル電池の電極端子を折り曲げてバスバーに押し付けることで、セル電池間の接続を行う。これによれば、不具合の見つかったセル電池のみを交換することが可能である。
【先行技術文献】
【特許文献】
【０００５】
【特許文献１】特開２００７−２６５９４５号公報
【発明の概要】
【発明が解決しようとする課題】
【０００６】
しかしながら、特許文献１のようにセル電池の電極端子を折り曲げてバスバーに押し付ける構造では、接続作業時に比較的大きな力を必要とし、また接続後の状態の安定性にも問題がある。
【０００７】
それ故に本発明の課題は、接続作業時に大きな力を必要とせずかつ接続後の状態の安定性を期待できる電池間接続装置を提供することにある。
【課題を解決するための手段】
【０００８】
本発明の一態様によれば、セル本体から突出する電極端子を有するセル電池を複数並行に配置して接続する電池間接続装置であって、複数の連結端子と、該連結端子を保持するベースと、複数の押圧クリップとを含み、前記連結端子は２つの前記電極端子間を接続するものであって、２つの前記電極端子にそれぞれ接触する２つの弾性接触片を有し、前記ベースは前記連結端子を収容保持する複数の収容部を有し、該収容部は前記電極端子を対応する弾性接触片の外側に沿うようにして収容可能になっており、前記押圧クリップは平行な２つの押圧片を有し、該押圧片を前記２つの電極端子の外側に沿うようにして前記収容部に挿入することで前記２つの電極端子を内側に押圧駆動し前記２つの弾性接触片に接触させるものであることを特徴とする電池間接続装置が得られる。
【０００９】
本発明の他の態様によれば、セル本体から突出する電極端子を有するセル電池を複数並行に配置して接続する電池間接続装置であって、複数の連結端子と、該連結端子を保持するベースと、複数のカムとを含み、前記連結端子は２つの前記電極端子間を接続するものであって、２つの前記電極端子にそれぞれ接触する２つの弾性接触片を有し、前記ベースは前記連結端子を収容保持する複数の収容部を有し、該収容部は前記電極端子を対応する弾性接触片の内側に沿うようにして収容可能になっており、前記カムは前記収容部の前記２つの弾性接触片間に回動軸を有するように前記ベースに回動可能に設けられており、前記回動軸には長円状のカム部を有し、前記カムを回動して前記カム部を回動させることで、前記２つの弾性接触片の内側に挿入した前記２つの電極端子を外側に駆動し前記２つの前記弾性接触片に押圧接触させるものであることを特徴とする電池間接続装置が得られる。
【００１０】
前記連結端子は隣り合う前記電極端子間を接続するものであってもよい。
【００１１】
前記電極端子を前記収容部に挿入するとき、前記電極端子が前記弾性接触片と非接触で挿入可能になっていてもよい。
【００１２】
前記ベースは前記電極端子を前記収容部の所定位置に挿入案内するスリットを有してもよい。
【００１３】
前記複数の連結端子のうち一部の前記連結端子には入出力用ケーブルを接続する電源用端子が設けられていてもよい。
【００１４】
前記押圧クリップには、前記電源用端子に接続するケーブルが挿通する入出力用ケーブル挿通溝が設けられていてもよい。
【００１５】
本発明のさらに他の態様によれば、セル本体から突出する電極端子を有するセル電池を複数並行に配置して接続する電池間接続装置であって、前記各電極端子にそれぞれ接続する複数のコネクタと、該複数のコネクタを搭載保持し前記電極端子間を所望の接続方式で電気接続する入出力用回路パターンを有する回路基板とからなり、前記コネクタは、コンタクトと、該コンタクトを保持するハウジングと、スライダとからなり、前記コンタクトは前記ハウジングの一側から突出する弾性接触片と、他側から突出する実装部とを有し、前記ハウジングは前記電極端子を前記弾性接触片に沿うようにして挿入案内するスリットを有し、前記回路基板は前記電極端子に対応する箇所に貫通孔を有し、該貫通孔に前記コネクタの前記ハウジング部分が装着され、前記実装部が前記出力用配線に接続されており、前記スライダを前記弾性接触片に沿わせるようにして披せることで前記弾性接触片を前記電極端子側に押圧駆動し前記電極端子に接触させることを特徴とする電池間接続装置が得られる。
【００１６】
前記コネクタは互いに対向する一対の前記コンタクトを有し、該一対のコンタクトの前記弾性接触片間に前記電極端子が挿入可能になっており、前記スライダは筒状で、その内壁部を一対の前記弾性接触片の外側に沿わせるようにして被せることで一対の前記弾性接触片を内側に押圧駆動し前記電極端子を扶み込み接触させるものであってもよい。
【００１７】
前記一対の前記弾性接触片間は前記電極端子が零挿入力で挿入可能なギャップを有してもよい。
【００１８】
本発明のさらに他の態様によれば、セル本体と該セル本体から突出した電極端子とを有するセル電池を接続するための電池間接続装置であって、弾性接触片を有する導電性の連結端子と、前記連結端子を保持し、かつ前記電極端子を前記弾性接触片に対向させるベースと、前記電極端子および前記弾性接触片の少なくとも一方を押圧して変位させ、これにより前記電極端子および前記弾性接触片を互いに圧接させる操作手段とを含むことを特徴とする電池間接続装置が得られる。
【００１９】
前記ベースは前記電極端子を受け入れるための収容部を有し、前記操作手段は前記収容部に挿入される押圧クリップであり、前記押圧クリップは、前記収容部に挿入される際に、前記電極端子を押圧して変位させ、これにより前記電極端子を前記弾性接触片に圧接させるものであってもよい。
【００２０】
前記ベースは前記電極端子を受け入れるための収容部を有し、前記操作手段は前記収容部に配置された回動可能なカムであり、前記カムは、回動する際に、前記電極端子を押圧して変位させ、これにより前記電極端子を前記弾性接触片に圧接させるものであってもよい。
【００２１】
前記操作手段は前記ベースに装着される押圧クリップであり、前記押圧クリップは、前記ベースに装着される際に、前記弾性接触片を押圧して変位させ、これにより前記弾性接触片を前記電極端子に圧接させるものであってもよい。
【発明の効果】
【００２２】
本発明の各態様による電池間接続装置は、接続作業時に大きな力を必要とせずかつ接続後の状態の安定性を期待できる。
【図面の簡単な説明】
【００２３】
【図１】本発明の第１実施例に係る電池間接続装置を複数のセル電池とともに一部分解状態で示す斜視図。
【図２】図１の電池間接続装置によって接続可能なセル電池の一例の斜視図。
【図３】図１の要部のみの拡大図。
【図４】図１の電池間接続装置の電池接続前の状態を示す一部の平面断面図。
【図５Ａ】図４の電池間接続装置の電池接続前の状態を示す要部のみの平面断面図。
【図５Ｂ】図４の電池間接続装置の電池接続後の状態を示す要部のみの平面断面図。
【図６】図４の電池間接続装置に含まれた第１の連結端子の斜視図。
【図７】図１の電池間接続装置に接続可能な正極ケーブルの斜視図。
【図８】本発明の第２実施例に係る電池間接続装置を複数のセル電池とともに一部分解状態で示す斜視図。
【図９】図８の電池間接続装置によって接続可能なセル電池の一例の斜視図。
【図１０】図８の要部のみの拡大図。
【図１１】本発明の第３実施例に係る電池間接続装置を複数のセル電池とともに一部分解状態で示す斜視図。
【図１２】図１１の電池間接続装置を複数のセル電池とともに一部分解状態で示す、図１１とは異なる向きでの斜視図。
【図１３】図１１に示す電池間接続装置の内部機構を示す斜視図。
【図１４】図１１の電池間接続装置に含まれた連結端子の斜視図。
【図１５】図１１の電池間接続装置に含まれたカムの斜視図。
【図１６】図１１の電池間接続装置の連結端子とカムとの関係を説明するための図。
【図１７】図１１の電池間接続装置のカムの作用を説明するための図。
【図１８】本発明の第４実施例に係る電池間接続装置を複数のセル電池とともに示す斜視図。
【図１９】図１８の電池間接続装置に含まれた連結端子の斜視図。
【図２０】図１８の電池間接続装置を説明するための概略平面図。
【図２１】図１８の電池間接続装置を説明するための概略底面図。
【図２２】本発明の第５実施例に係る電池間接続装置を複数のセル電池とともに示す斜視図。
【図２３】図２２の電池間接続装置によってセル電池を接続する途中の状態を示す説明図。
【図２４】図２２の電池間接続装置によってセル電池を接続した後の状態を示す説明図。
【図２５】図２２の電池間接続装置を複数のセル電池とともに示す、図２２とは異なる向きでの斜視図。
【図２６】図２２の電池間接続装置に含まれた基板を単独で示した斜視図。
【発明を実施するための形態】
【００２４】
以下、本発明を実施するための幾つかの形態を実施例を用いて説明する。
【００２５】
(第１実施例)
図１〜図７を参照して、本発明の第１実施例に係る電池間接続装置を説明する。
【００２６】
図１は、電池間接続装置１の構成を示す斜視図である。図１において、電池間接続本体２により、複数のセル電池、例えば、８枚のラミネートセル３が直列に連結されている。ここで、ラミネートセル３は、図２に示すように、セル本体４から、第１の電極端子(正極)５と第２の電極端子(負極)６とが同じ方向に延出されているタイプのものである。
【００２７】
電池間接続本体２は、図１および図３に示すように、プラスチック製のベース７、第１の連結端子８、第２の連結端子９、および押圧クリップ１０を含んでいる。ベース７には、収容部７ａと、ラミネートセル３の第１の電極端子(正極)５と第２の電極端子(負極)６が挿通可能なスリット７ｂが収容部７ａの上面と下面に、ラミネートセル３の配列ピッチと等しいピッチＬ１で形成されている。また、第１の連結端子８及び第２の連結端子９は、図１に示すベース７のリブ７ｃに固定されている。
【００２８】
図６は、第１の連結端子８を示す。連結端子本体１２は、対向する２つの弾性接触片８ａ、その先端側に接点部１３を有し、その基端側には２つの電源用端子１４を有している。電源用端子１４は、対向するように２つ形成されているが一つでも良い。２つの場合には、図で上下逆にして用いることができる。第１の連結端子８と第２の連結端子９との差異は、電源用端子１４が有るか否かである。即ち、第１の連結端子８は電源用端子１４を有する。第１の連結端子８はベース７の両端部にのみ位置して正極ケーブル１６と負極ケーブル１８が電源用ケーブル又は入出力用ケーブルとして接続される。
【００２９】
第１の連結端子８、第２の連結端子９、および押圧クリップ１０の各々は、電極端子と接触して電気的導通を図るため、その材質についてはりん青銅等、一般的にバネ鋼材として使用されている材質を適用する。なお、押圧クリップ１０には、対向する２枚の押圧片１０ａと、押圧片１０ａの一端部間を連結するプラスチック製のつまみ部１１と電源用ケーブルが挿通するケーブル挿通溝１０ｂが設けられている。押圧片１０ａの先端は互いに離れる方向に広がっている。
【００３０】
また、ラミネートセル３の配列ピッチＬ１、第１の連結端子８(又は第２の連結端子９)の接点間距離Ｌ２、押圧クリップ１０の２枚の押圧片間距離Ｌ４、先端の広がり幅Ｌ３の各部寸法の間には、
Ｌ４＜Ｌ２＜Ｌ１＜Ｌ３
の関係が成立している。
【００３１】
正極ケーブル１６を図７に示している。正極ケーブル１６は、大電流に耐え得る太さの導線と、ケーブル端子１９を備えている。負極ケーブル１８としては、正極ケーブル１６と同じものを用い得る。
【００３２】
次に、上述した電池間接続装置１の組み立ておよび作用について説明する。
【００３３】
ピッチＬ１で配列させたラミネートセル３の電極端子を、ベース７に設けてあるスリット７ｂに挿通する。このとき、ベース７の収容部７ａ内には予め第１の連結端子８又は第２の連結端子９が装着されてはいるが、Ｌ２＜Ｌ１の関係があるため、ラミネートセル３の第１の電極端子(正極)５および第２の電極端子(負極)６は剛性が低くても、干渉するものが無く（電極端子と連結端子は接しない）、容易にスリット７ｂに挿通が可能となる。その後、押圧クリップ１０を収容部７ａに装着すると、Ｌ１＜Ｌ３の関係から、第１の電極端子(正極)５及び第２の電極端子(負極)６は、押圧クリップ１０の押圧片１０ａ内側に位置する第１の連結端子８(第２の連結端子９)の接点部１３に向かってそれぞれシフト（変位）する。その結果、Ｌ４＜Ｌ２＜Ｌ１の関係があるので、第１の電極端子(正極)５および第２の電極端子(負極)６は、第１の連結端子８(又は第２の連結端子９)の接点部１３に接触し、さらには、第１の連結端子８(又は第２の連結端子９)の接点部１３の変位をも引き起こし、接点部１３が付勢された状態が維持される。
【００３４】
電池間接続装置１の上面から見て左右に千鳥状に配列された第２の連結端子９により、隣接するラミネートセル３の第１の電極端子(正極)５と第２の電極端子(負極)６とが電気的に接続され、ベース７の両端部に位置する第１の電極端子（正極）５と第２の電極端子（負極）６には第１の連結端子８が接触し、８枚のラミネートセル３が直列に連結されることになる。こうして、ラミネートセル３を複数接続してなるバッテリを構成することができる。また、これらのラミネートセル３を積層状態でケースに収容してバッテリモジュールを構成することもできる。
【００３５】
ベース７の両端部に位置する第１の連結端子８には、電源用端子１４が設けてあり、正極ケーブル１６と負極ケーブル１８とがそれぞれ接続される。
【００３６】
(第２実施例)
図８〜図１０を参照して、本発明の第２実施例に係る電池間接続装置を説明する。
【００３７】
図９は、ラミネートセル１０３の構成を示す斜視図である。本実施例で取り扱うラミネートセル１０３は、図９に示すように、セル本体１０４の相対する側から、第１の電極端子(正極)１０５と、第２の電極端子(負極)１０６とが、延出されているタイプのものである。
【００３８】
図８には、このラミネートセル１０３が８枚直列に連結されている例を示している。図８に示すように、第１のベース１０７と第２のベース１０８の２体をラミネートセル１０３の上下に配している。その他の構成および作用は第１実施例と同じであるので、説明を省略する。
【００３９】
(第３実施例)
図１１〜図１７を参照して、本発明の第３実施例に係る電池間接続装置を説明する。
【００４０】
図１１は、電池間接続装置２０１の構成を示す斜視図である。電池間接続本体２０２により、４枚のラミネートセル１０３が直列に連結されている例を示している。本実施例で取り扱うラミネートセル１０３は、第２実施例で取り扱ったラミネートセルと同型であり、セル本体１０４の相対する側から、第１の電極端子(正極)１０５と、第２の電極端子(負極)１０６とが、延出されているタイプのものである。
【００４１】
この電池間接続装置２０１では、第３のベース２０７と、第４のベース２０８とが、それぞれラミネートセル１０３の上下に配されており、各ベース２０７、２０８には、第１実施例および第２実施例と同じく、ラミネートセル１０３の配列ピッチL201で、第１の電極端子(正極)１０５と、第２の電極端子(負極)１０６が挿通可能なスリット２０７ｂ、２０８ｂが形成されている。そして、それぞれの収容部２０７ａ、２０８ａのスリット間には、上下で千鳥状配列となるように、カム２１０が設けられている。カム２１０の外観図を図１５に示す。カム２１０は、基端側の操作するためのレバー部２１１と、先端側の略長円形を成したカム部２１２と回転軸２１１ａとから成る。
【００４２】
図１３では、便宜上、第３のベース２０７を除去して、カム２１０が見えるような図としている。連結端子２０９の接点部２１３の内側に、第１の電極端子(正極)１０５と第２の電極端子(負極)１０６とが配され、さらにその内側にカム２１０が配されている。ここで、ラミネートセル３の配列ピッチL201、連結端子２０９の接点間距離L204、カム２１０の短径L202および長径L203の各部寸法の間には、
L202＜L201＜L204＜L203
の関係が成立している。
【００４３】
その他の構成は第１実施例および第２実施例と同じであるので、説明を省略する。なお、図１４に示すように電源用端子２１４は２つ設けられているが、これらは、図１２に示す複数の収容部２０７ａ、２０８ａのどれにでも挿入可能なように設けている。
【００４４】
次に、上述した電池間接続装置２０１の作用を説明する。
【００４５】
ピッチL201で配列させたラミネートセル１０３の上側の電極端子を、第３のベース２０７に設けてあるスリット２０７ｂに挿通する。このとき、第３のベース２０７の収容部２０７ａには、図１６に示すように、予め連結端子２０９とカム２１０とが装着されてはいるが、L202＜L201＜L204の関係があるため、ラミネートセル１０３の第１の電極端子(正極)１０５および第２の電極端子(負極)１０６は剛性が低くても、干渉するものが無く、容易にスリットに挿通が可能となる。その後、図１７に示すように、カム２１０が軸周りにθｃだけ回転したところで、第１の電極端子(正極)１０５および第２の電極端子(負極)１０６が、連結端子２０９の接点部２１３に接触し、さらに回転させると、連結端子２０９の接点部２１３の変位をも引き起こし、接点部２１３が付勢された状態が維持される。同様にしてラミネートセル１０３の下側の電極端子を第４のベース２０８に装着された連結端子２０９の接点部２１３に接触させる。その他の作用は第１実施例および第２実施例と同じであるので、説明を省略する。
【００４６】
(第４実施例)
図１８〜図２１を参照して、本発明の第４実施例に係る電池間接続装置を説明する。
【００４７】
図１８は、電池間接続装置の構成を示す斜視図である。本実施例で取り扱うラミネートセル１０３は、第２実施例および第３実施例で取り扱ったラミネートセルと同型であり、セル本体１０４の相対する側から、第１の電極端子(正極)１０５と、第２の電極端子(負極)１０６とが、延出されているタイプのものである。電池間接続により、４枚のラミネートセル１０３が２直列２並列に連結されている例を示している。
【００４８】
この電池間接続装置２０１′では、第５のベース３０１と、第６のベース３０２とが、それぞれラミネートセル１０３の上下に配されており、第１の実施例および第２実施例と同じく、ラミネートセル１０３の配列ピッチL1で、第１の電極端子(正極)１０５と、第２の電極端子(負極)１０６が挿通可能な収容部３０１ａ、３０２ａに通じるスリット３０１ｂ、３０２ｂが形成されている。
【００４９】
下側の第６のベース３０２に装着される連結端子や押圧クリップは第１実施例および第２実施例と同じであるが、上側の第５のベース３０１に装着される連結端子や押圧クリップは、その接点部間寸法及び押圧片間寸法が、図１９および図２０に示すように、スリット状貫通孔を１つ空けた長さに相当する。連結端子３０３の詳細図を図１９に示す。幅は広く、接点部間の距離はL31である。ここで電源用端子３０６は上下方向で２つ設けられているが、これらは上下を逆にして、第５及び第６のベース３０１、３０２に挿入してもよいようにしてある。なお、電源用端子３０６の位置を容易に確認できる場合あるいは誤挿入等を防止するキィが設けられている場合には、電源用端子３０６は一つでも良い。
【００５０】
上側の第５のベース３０１、下側の第６のベース３０２の断面図をそれぞれ図２０、図２１に示す。図２１に示すとおり、下側の構成は、第１実施例および第２実施例と同様である。図２０において、上側では、各部寸法の間には、
L32＜L31＜（L1×2）＜L33
の関係が成立している。図２０に示すように、連結端子３０３および押圧クリップ３０４が、点対象の位置にもう一式ずつ配してあり、第５のベース３０１の樹脂により相互に絶縁されている。
【００５１】
次に、上述した電池間接続装置２０１′の作用を説明する。
【００５２】
第１実施例と同様に、電極端子のスリットヘの挿入性、および接点部の付勢に関しては、以下の関係、
L32＜L31＜（L1×2）＜L33
により機能する。
【００５３】
ラミネートセル１０３は、互い違いに上下逆さに設置されていることから、上側の第５のベース３０１の内部で、同極同士が連結され、下側の第６のベース３０２の内部で、異極間の連結がなされ、２直列２並列の連結が成される。
【００５４】
(第５実施例)
図２２〜図２６を参照して、本発明の第５実施例に係る電池間接続装置を説明する。
【００５５】
図２２は、電池間接続装置の構成を示す斜視図である。本実施例で取り扱うラミネートセル３は、第１実施例で取り扱ったラミネートセルと同型であり、セル本体４から、第１の電極端子(正極)５と、第２の電極端子(負極)６とが、同じ方向に延出されているタイプのものである。基板を介して電池間接続が図られ、４枚のラミネートセル３が直列に連結されている例を示している。
【００５６】
図２２及び図２６において、基板４０１には、ラミネートセル３の第１の電極端子(正極)５と第２の電極端子(負極)６にそれぞれ相当する位置に矩形の貫通孔４１１が形成されている。その貫通孔４１１には、図２３に示すように、コネクタ４０２のハウジング４０３が埋設されている。
【００５７】
コネクタ４０２は、ハウジング４０３と、コンタクト４０４とを有し、さらに組み合わせて使用されるスライダ４０６も有している。コンタクト４０４は、図２４に示すように、ハウジング４０３の底面に位置し、基板４０１の底面の連結配線４１６（図２６参照）に接続する実装部４０５を有し、基板４０１の背面のランド（図示せず）に実装部４０５をはんだ付けされることで、実装される。図２３に示すように、コンタクト４０４は、ハウジング４０３を貫通し、上方まで延出している。ハウジング４０３の中央には、第１の電極端子(正極)５又は第２の電極端子(負極)６が挿通可能なスリットが設けてある。また、両コンタクト４０４の距離L41と、スライダ４０６の貫通孔の幅L42との間には、L42＜L41の関係がある。
【００５８】
図２５は、本実施例を基板４０１の下方から見た斜視図である。図２６は、基板４０１単体の下方から見た斜視図である。基板４０１の底面には、出力用パッド(正極)４１３、出力用パッド(負極)４１４がパターニングされており、ラミネートセル３が直列に連結されるように、それらが相互に連結配線４１６により結線されている。
【００５９】
スライダ４０６を装着しない状態では、両コンタクト４０４の距離がL41あり、両コンタクト間には間隙があり、電極端子を容易に挿通することができる。電極端子挿通後に、スライダ４０６を装着し、距離がL41からL42に縮まり、両コンタクトが電極端子を挟み、付勢される。基板４０１上に敷設された配線により、所望の結線が成されていることになる。
【００６０】
上述では特定の幾つかの実施例を用いて説明したが、本発明はこれらの実施例に限られることなく様々な変形が可能であり、それらの変形も本発明の範囲に含まれることは言うまでもない。
【産業上の利用可能性】
【００６１】
本発明は、ラミネートセルなどのセル電池を複数接続してなるバッテリや、それらのセル電池を積層状態でケースに収容してなるバッテリモジュールに適用できる。
【符号の説明】
【００６２】
３，１０３  ラミネートセル
４，１０４  セル本体
５（６），１０５（１０６）  電極端子
７，１０７（１０８）,３０１（３０２）  ベース
７ａ，１０７ａ（ｌ０８ａ），３０１ａ（３０２ａ）  収容部
７ｂ，１０７ｂ（ｌ０８ｂ），３０１ｂ（３０２ｂ），２０７ｂ（２０８ｂ）  スリット
８（９），３０３  連結端子
８ａ（９ａ），３０３ａ  弾性接触片
１０，３０４  押圧クリップ
１０ａ，３０４ａ  押圧片
１０ｂ  入出力用ケーブル挿通溝
２１０  カム
４０１  回路基板
４０２  コネクタ
４０３  ハウジング
４０３ａ  スリット
４０４  コンタクト
４０４ａ  弾性接触片
４０５  実装部
４０６  スライダ
４１１  貫通孔
４１３  出力用パッド（正極）
４１４  出力用パッド（負極）
４１６  連結配線
【図１】
2011090812.tif 000003
【図２】
2011090812.tif 000004
【図３】
2011090812.tif 000005
【図４】
2011090812.tif 000006
【図５Ａ】
2011090812.tif 000007
【図５Ｂ】
2011090812.tif 000008
【図６】
2011090812.tif 000009
【図７】
2011090812.tif 000010
【図８】
2011090812.tif 000011
【図９】
2011090812.tif 000012
【図１０】
2011090812.tif 000013
【図１１】
2011090812.tif 000014
【図１２】
2011090812.tif 000015
【図１３】
2011090812.tif 000016
【図１４】
2011090812.tif 000017
【図１５】
2011090812.tif 000018
【図１６】
2011090812.tif 000019
【図１７】
2011090812.tif 000020
【図１８】
2011090812.tif 000021
【図１９】
2011090812.tif 000022
【図２０】
2011090812.tif 000023
【図２１】
2011090812.tif 000024
【図２２】
2011090812.tif 000025
【図２３】
2011090812.tif 000026
【図２４】
2011090812.tif 000027
【図２５】
2011090812.tif 000028
【図２６】
2011090812.tif 000029